(57)【要約】【課題】  携帯端末に非接触ＩＣカードシステムへの対応機能を組み込んだシステムにおいて、携帯端末に必要なデータを取り組むさいの操作が煩雑であった。【解決手段】  非接触ＩＣカード内に非接触ＩＣカード・リーダ・ライターとの間における所定時間内にかざされた回数を計数する手段と、この回数に応じて、非接触ＩＣカードから送信するデータを変えてデータ送信するデータ送信手段を設けた。【選択図】        図３
2006228129.tif 000002
【特許請求の範囲】
【請求項１】
非接触ＩＣカードと非接触ＩＣカード・リーダ・ライターで構成される非接触ＩＣカードシステムにおいて、
前記非接触ＩＣカード内に前記非接触ＩＣカード・リーダ・ライターとの間における所定時間内にかざされた回数を計数する手段と、
前記回数に応じて、前記非接触ＩＣカードから送信するデータを変えてデータ送信するデータ送信手段を設けたことを特徴とする非接触ＩＣカードシステム。
【請求項２】
請求項１記載の非接触ＩＣカードシステムにおいて、
前記非接触ＩＣカードと前記非接触ＩＣカード・リーダ・ライターとの間がかざされて、通信が行われる時に、前記非接触ＩＣカード・リーダ・ライターは前記非接触ＩＣカードに対して、時間情報と認証情報を送信し、
前記非接触ＩＣカードは受信した前記時間情報と前記認証情報をカード内のメモリに記憶し、同時に前記メモリに既に記憶されている認証情報と照合して、照合の結果、同一の認証情報があった場合、前記時間情報に基づいて、所定時間内にかざした回数を計数する制御手段を設けたことを特徴とする非接触ＩＣカードシステム。
【請求項３】
請求項１または２記載の非接触ＩＣカードシステムにおいて、
写真、及び写真が印刷された出版物の媒体に前記非接触ＩＣカードが組み込まれ、前記非接触ＩＣカードに前記写真の画像データが格納されていることを特徴とする非接触ＩＣカードシステム。
【請求項４】
請求項３記載の非接触ＩＣカードシステムにおいて、
前記時間内にかざされた回数が１回目の時は第一の画像データ、２回目の時は第二の画像データであることを特徴とする非接触ＩＣカードシステム。
【請求項５】
請求項４記載の非接触ＩＣカードシステムにおいて、
第一のデータはサムネイルデータ、第二のデータはオリジナルデータであることを特徴とする非接触ＩＣカードシステム。
【請求項６】
請求項４記載の非接触ＩＣカードシステムにおいて、
第一のデータと第二のデータは画像サイズが異なることを特徴とする非接触ＩＣカードシステム。
【請求項７】
請求項１または２記載の非接触ＩＣカードシステムにおいて、
出版物の媒体に前記非接触ＩＣカードが組み込まれ、前記非接触ＩＣカードに前記出版物の媒体に印刷されている関連情報のデータが格納されていることを特徴とする非接触ＩＣカードシステム。
【請求項８】
請求項７記載の非接触ＩＣカードシステムにおいて、
前記時間内にかざされた回数が１回目の時は第一のデータ、２回目の時は第二のデータであることを特徴とする非接触ＩＣカードシステム。
【請求項９】
請求項８記載の非接触ＩＣカードシステムにおいて、
第一のデータは第二のデータの概略データ、第二のデータはオリジナルデータであることを特徴とする非接触ＩＣカードシステム。
【請求項１０】
請求項１または２記載の非接触ＩＣカードシステムにおいて、
ネットワークに接続され、前記ネットワークから各種データを受信して、受信したデータを表示するディスプレイ装置に前記非接触ＩＣカードが組み込まれ、前記非接触ＩＣカードに前記ネットワークから受信した各種データを適宜、格納することを特徴とする非接触ＩＣカードシステム。
【請求項１１】
請求項１ないし１０のいずれかに記載の非接触ＩＣカードシステムにおいて、
携帯端末に前記非接触ＩＣカード・リーダ・ライターが組み込まれたことを特徴とする非接触ＩＣカードシステム。
【発明の詳細な説明】
【技術分野】
【０００１】
本発明は携帯端末装置に近距離無線通信機能を組込んだ、非接触ＩＣカードシステムに関する。
【背景技術】
【０００２】
近年、近距離無線通信の１つとして、非接触ＩＣカード（非接触ＩＣタグ、非接触ＩＣ、無線ＩＣタグ、非接触データキャリア、ＲＦＩＤ等という場合があるが、これらを総称して以降、及び特許請求の範囲では「非接触ＩＣカード」ということにする。）がさまざまな分野で適用されている。
【０００３】
その１つとして、企業のホームページを紹介する出版物において、印刷されたホームページのアドレス（ＵＲＬ）のデータが書き込まれた非接触ＩＣカードを出版物の紙媒体に貼着して、非接触ＩＣカード・リーダまたはリーダ機能を内蔵した携帯端末を出版物の所定箇所にかざすことにより、アドレス（ＵＲＬ）データを読み込むものがある（例えば、特許文献１参照。）。
【０００４】
もう１つとして、室の入退出を管理する入退出管理装置への適用がある。これは室の入口部分に非接触ＩＣカード・リーダを設け、ここに非接触ＩＣカードをかざすことにより、開錠、施錠、さらには警戒モードへの設定を行うものがある（例えば、特許文献２参照。）。
【０００５】
さらに携帯電話等の携帯端末に非接触ＩＣカード機能、または非接触ＩＣカード・リーダ・ライター機能を組込み、電子マネー、電子決済処理も可能な端末としての用途のシステム検討がなされている。
【特許文献１】特開２００１−３０７０４２号公報
【特許文献２】特開平１０−１２４６３４号公報
【発明の開示】
【発明が解決しようとする課題】
【０００６】
しかしながら、上記のシステムでは携帯端末に非接触ＩＣカードシステムへの対応機能を組込んでも、単なるホームページアドレス等の入力が面倒で、誤入力しやすいデータの簡単な操作による読み込みや、通信相手になる装置側のモード切替え操作といった単純な用途にしか適用されていなかった。また、非接触ＩＣカード自体やシステムに対応した携帯端末を「かざす」という極めて人間工学的に分かり易い操作性を生かしたシステムがなかった。そのため、携帯端末に非接触ＩＣカードシステムへの対応機能を組み込んだシステムにおいて、携帯端末に必要なデータを取り組む際の操作が煩雑であった。
【０００７】
また、携帯端末に費用をかけて非接触ＩＣカードシステムへの対応機能を組み込んでも、ユーザの利便性を飛躍的に向上することができなかった。さらに、そのために、これらのシステムの普及をさまたげ、結果としてシステム全体のコストは高価なものであった。
【０００８】
本発明は特に非接触ＩＣカード・リーダ・ライター機能を組み込んだ携帯電話、デジタルカメラ等の携帯端末において、非接触ＩＣカードによる近距離無線通信時における操作性を向上させる技術としての非接触ＩＣカードシステムを提供することにより、ユーザにとって利便性が高いシステムを実現することを目的とするものである。
【課題を解決するための手段】
【０００９】
本発明は、上述の目的を達成するために、非接触ＩＣカードシステムを、次に示す構成とする。
【００１０】
（１）非接触ＩＣカードと非接触ＩＣカード・リーダ・ライターで構成される非接触ＩＣカードシステムにおいて、前記非接触ＩＣカード内に前記非接触ＩＣカード・リーダ・ライターとの間における所定時間内にかざされた回数を計数する手段と、前記回数に応じて、前記非接触ＩＣカードから送信するデータを変えてデータ送信するデータ送信手段を設けた。
【００１１】
（２）前記（１）において、前記非接触ＩＣカードと前記非接触ＩＣカード・リーダ・ライターとの間がかざされて、通信が行われる時に、前記非接触ＩＣカード・リーダ・ライターは前記非接触ＩＣカードに対して、時間情報（タイムスタンプ）と認証情報を送信し、前記非接触ＩＣカードは受信した前記時間情報（タイムスタンプ）と前記認証情報をカード内のメモリに記憶し、同時に前記メモリに既に記憶されている認証情報と照合して、照合の結果、同一の認証情報があった場合、前記時間情報（タイムスタンプ）に基づいて、所定時間内にかざした回数を計数する制御手段を設けた。
【００１２】
（３）前記（１）または（２）において、写真、及び写真が印刷された出版物の媒体に前記非接触ＩＣカードが組み込まれ、前記非接触ＩＣカードに前記写真の画像データを格納した。
【００１３】
（４）前記（３）において、前記時間内にかざされた回数が１回目の時は第一の画像データ、２回目の時は第二の画像データにした。
【００１４】
（５）前記（４）において、第一のデータはサムネイルデータ、第二のデータはオリジナルデータにした。
【００１５】
（６）前記（４）において、第一のデータと第二のデータは画像サイズが異なるようにした。
【００１６】
（７）前記（１）または（２）において、出版物の媒体に前記非接触ＩＣカードが組み込まれ、前記非接触ＩＣカードに前記出版物の媒体に印刷されている関連情報のデータを格納した。
【００１７】
（８）前記（７）において、前記時間内にかざされた回数が１回目の時は第一のデータ、２回目の時は第二のデータにした。
【００１８】
（９）前記（８）において、第一のデータは第二のデータの概略データ、第二のデータはオリジナルデータにした。
【００１９】
（１０）前記（１）または（２）において、ネットワークに接続され、前記ネットワークから各種データを受信して、受信したデータを表示するディスプレイ装置に前記非接触ＩＣカードが組み込まれ、前記非接触ＩＣカードに前記ネットワークから受信した各種データを適宜、格納した。
【００２０】
（１１）前記（１）ないし（１０）のいずれかにおいて、携帯端末に前記非接触ＩＣカード・リーダ・ライターを組み込んだシステムにした。
【発明の効果】
【００２１】
本発明によると、非接触ＩＣカード・リーダ・ライター機能を組み込んだ携帯端末を通信相手である非接触ＩＣカードを組み込んだ媒体や装置に、対して、所定時間内に何回かざしたか、回数を検出する手段を非接触ＩＣカード側に設け、さらにこの回数に対応して非接触ＩＣカード側の媒体や装置から送信するデータを変えることによって、携帯端末ユーザはさらに簡単な操作で、多種類のデータを受信することができるため、操作性が向上でき、利便性が高い非接触ＩＣカード適用システムを提供できるという極めて高い効果がある。
【発明を実施するための最良の形態】
【００２２】
以下に、本発明を実施するための最良の形態を図面を参照しながら説明する。
【実施例】
【００２３】
（第１の実施形態）
図１は本発明を実施した携帯端末として非接触ＩＣカード・リーダ・ライター機能を組み込んだ携帯電話、及び各ページに写真が印刷され、さらに非接触ＩＣカードが貼着された出版物の写真集で構成されるシステム説明図である。
【００２４】
図１において、１０１は非接触ＩＣカード・リーダ・ライター機能を組み込んだ携帯電話、１０２は写真集、１０３は写真集１０２の各ページに印刷されている写真、１０４は貼着されている非接触ＩＣカードである。
【００２５】
１０４非接触ＩＣカードには貼着されているページに印刷されている写真の画像データ、及びこの画像データのサムネイルデータが格納されている。
【００２６】
写真集１０２の所定のページに印刷されている写真１０３に対して携帯電話１０１をかざすことにより、この写真１０３の画像データを取り組むことができ、１回目のこのかざす操作でサムネイルデータを取り組み、携帯電話１０１の表示器でサムネイルデータの画像を確認した後、オリジナルデータが必要な時に、１回目にかざした時から所定時間内に再度、かざすことによりオリジナルデータを取り組むという簡単な操作による画像データを取り組めるシステムを提供するものである。
【００２７】
図２は図１のシステム説明図の内部ブロック図である。
【００２８】
図２において、２０１は携帯電話本体、２０２は非接触ＩＣカード・リーダ・ライター部、２０３は制御部、２０４は発振器、２０５は変復調回路、２０６はアンテナ、２０７は携帯電話機能部、２０８は携帯電話本体部、２０９は非接触ＩＣカード・リーダ・ライター部２０１と携帯電話本体部間のインターフェイス部、２１０は携帯電話アンテナ、２１１はマイク、２１２はスピーカ、２１３は操作部、２１４は表示部、２１５は非接触ＩＣカード本体、２１６は制御部、２１７は不揮発性メモリ、２１８は変復調回路、２１９は電源生成回路、２２０はアンテナである。
【００２９】
非接触ＩＣカード・リーダ・ライター部２０２は制御部２０３の制御により、発振器２０４からの高周波搬送波をアンテナ２０６から送信する。
【００３０】
写真１０３に対して携帯電話１０１をかざすことにより、非接触ＩＣカード・リーダ・ライター部２０２が非接触ＩＣカード２１５に接近されると、この高周波搬送波が非接触ＩＣカード２１５のアンテナ２２０によって受信される。電源生成回路２１９では受信した高周波を直流電力に変換して、制御部２１６、メモリ２１７、変復調回路２１８に供給する。このように、携帯電話１０１をかざすことにより、非接触ＩＣカード２１５が動作状態になる。
【００３１】
非接触ＩＣカード・リーダ・ライター部２０２から非接触ＩＣカード２１５への通信は、前記高周波搬送波を変復調回路２０５で変調、そして変復調回路２１８で復調することにより行われる。また、非接触ＩＣカード２１５から非接触ＩＣカード・リーダ・ライター部２０２への通信時には、非接触ＩＣカード・リーダ・ライター部２０２から非接触ＩＣカード２１５に無変調の高周波搬送波を送り、電源生成回路２１９で電源を生成して、この電源をもとに変調回路２０５で変調波を生成、そして変調回路２１８でこの変調された信号を復調することにより行われる。
【００３２】
図３は携帯電話１０１を写真集１０２の所定のページにかざして、画像データを読み組む際の動作シーケンス図である。
【００３３】
図４は非接触ＩＣカードのメモリ２１７内で管理する端末かざし回数管理テーブルである。
【００３４】
次に本発明の実施例の動作について説明する。図５は、本発明の実施例を説明するための動作フロー図である。尚、ここでは、携帯電話２０１の各種設定、登録処理があらかじめ処理されているとして説明する。
【００３５】
携帯電話１０１を写真１０３の印刷箇所付近に貼着されている非接触ＩＣカード１０４にかざされると（Ｓ５０１）、非接触ＩＣカード２１５全体が電源生成回路２１９により電源を生成して動作状態になる（Ｓ５０２）。非接触ＩＣカード２１５の制御部２１６は変復調回路２１８を介して、自分が動作状態になった事を通知する信号を送信する（Ｓ５０３）。非接触ＩＣカード・リーダ・ライター部２０２の制御部２０３はこの信号を受信すると、制御部２０３から変復調回路２０５を介して、時間情報、認証ＩＤを送信する（Ｓ５０４）。ここで、この時間情報は携帯電話本体部２０８内（図示せず）の時計部から情報を取得する。
【００３６】
非接触ＩＣカード２１５の制御部２１６は受信した認証ＩＤに正当性があるか調べるため、不揮発性メモリ２１７に格納されている認証ＩＤと照合して認証処理を行う（Ｓ５０５）。認証が問題なければ（Ｓ５０６）、制御部２１６は受信した時間情報、認証ＩＤを不揮発性メモリ２１７の中の端末かざし回数管理テーブルに格納する（Ｓ５０７）。
【００３７】
次に、制御部２１６は認証ＩＤを非接触ＩＣカード・リーダ・ライター２０２側に送信する（Ｓ５０８）。
【００３８】
非接触ＩＣカード・リーダ・ライター２０２側の制御部２０３は同様に受信した認証ＩＤに正当性があるか調べるため、携帯電話本体部２０８内の不揮発性メモリ（図示せず）に格納されている認証ＩＤと照合して認証処理を行う（Ｓ５０９）。なお、このさい、非接触ＩＣカード・リーダ・ライター２０２内に別途、不揮発性メモリを設けて処理するようにしても構わない。認証が問題なければ（Ｓ５１０）、制御部２０３はデータ要求信号を非接触ＩＣカード２１５に送信する（Ｓ５１１）。非接触ＩＣカード２１５はこのデータ要求信号を受信すると、制御部２１６は不揮発性メモリ２１７の中の端末かざし回数管理テーブルを参照して（Ｓ５１２）、先ほど格納した最新の認証ＩＤと同じ認証ＩＤが無いかを検索する（Ｓ５１３）。そして、同じ認証ＩＤが無い場合は、不揮発性メモリ２１７の所定の領域に格納してあるサムネイルデータを読み出して、非接触ＩＣカード・リーダ・ライター２０２に送信する（Ｓ５１４）。
【００３９】
同じ認証ＩＤがあった場合は、両者の時間情報から所定時間における受信回数、すなわち所定時間における携帯電話１０１をかざした回数を算出する（Ｓ５１５）。この場合、過去にかざされた時間が所定時間以上と算出された場合は（Ｓ５１６）、不揮発性メモリ２１７の所定の領域に格納してあるサムネイルデータを読み出して、非接触ＩＣカード・リーダ・ライター２０２に送信する（Ｓ５１４）。
【００４０】
過去にかざされた時間が所定時間以内と算出された場合は、不揮発性メモリ２１７の所定の領域に格納してあるオリジナルデータを読み出して、非接触ＩＣカード・リーダ・ライター２０２に送信する（Ｓ５１７）。
【００４１】
このようにして、所定時間における携帯電話１０１をかざした回数により、送信するデータを切り換えて、非接触ＩＣカード・リーダ・ライター２０２に送信することで、簡単な操作により携帯電話１０１に必要なデータを取り組むことができる。
【００４２】
なお、より親切な操作性を向上するために、相互の認証確認が終了した時点、データ受信が完了した時点等で表示部２１４、スピーカ２１２等で操作者に通知するようにしても構わない。
【００４３】
第１の実施形態では写真集を例にしたが、出版物といった図書の形態ではなく１枚の写真やポスター類に非接触ＩＣカードを貼着しても良い。
【００４４】
また、非接触ＩＣカードには複数の画像サイズのデータを格納しても良い。
【００４５】
（第２の実施形態）
図６は本発明の第２の形態を実施した携帯端末として非接触ＩＣカード・リーダ・ライター機能を組み込んだデジタルカメラ、及びこのデジタルカメラの操作説明、関連事項等が記載されている操作説明書やその他関連図書の出版物であり、非接触ＩＣカードが所定のページに貼着されているもので構成されるシステム説明図である。
【００４６】
図６において、６０１は非接触ＩＣカード・リーダ・ライター機能を組み込んだデジタルカメラ、６０２はデジタルカメラの関連出版物、６０３は関連出版物６０２の所定のページに印刷されている写真や文字等で構成されるコンテンツ内容、６０４は貼着されている非接触ＩＣカードである。
【００４７】
非接触ＩＣカード６０４には貼着されているページに印刷されているコンテンツ内容に対応したデータ、例えば写真撮影時に、後から画像合成に使用するいわゆるフレーム等の画像であれば画像データ、及びこの画像データのサムネイルデータ、また撮影時に発するシャッター音に関しての記載であれば、このシャッター音の音源及び、この音源の出だし部分（いわゆるイントロ部分）のデータが格納されている。
【００４８】
デジタルカメラの関連出版物６０２の所定ページに印刷されているコンテンツ内容６０３に対してデジタルカメラ６０１をかざすことにより、コンテンツ内容６０３に記載されているデータを取り組むことができ、１回目のこのかざす操作で画像、テキスト、音源の各データにおけるいわゆる概略データをデジタルカメラ６０１の表示器やスピーカ等によって、この概略データを確認した後、オリジナルデータが必要な時は、１回目にかざした時から所定時間内に再度かざすことによりオリジナルデータを取り組むという簡単な操作によって必要なデータを取り組めるシステムが実現できる。
【００４９】
なお、この第２の実施形態の詳細な動作は第１の実施形態の動作と同様にして実現できるものである。
【００５０】
（第３の実施形態）
図７は本発明の第３の形態を実施した携帯端末として非接触ＩＣカード・リーダ・ライター機能を組み込んだ携帯電話、及びネットワークに接続され、このネットワークから各種データを受信して、受信したデータを表示するディスプレイ装置として非接触ＩＣカード・リーダ・ライター機能を組み込んだデジタルＴＶ（ＤＴＶ）で構成されるシステム説明図である。
【００５１】
図７において、７０１は非接触ＩＣカード・リーダ・ライター機能を組み込んだ携帯電話、７０２はデジタルＴＶ（ＤＴＶ）、７０３はデジタルＴＶ放送を受信するアンテナ、７０４はインターネット、７０５はデジタルＴＶ（ＤＴＶ）７０２に内蔵されている非接触ＩＣカードである。
【００５２】
非接触ＩＣカード７０５にはインターネット７０４経由で所定のサーバから受信したデータ、及びデジタルＴＶ放送によって送信されてきたデータが適宜、７０５非接触ＩＣカードの内部メモリに書き換えられて、格納されている。
【００５３】
図８は図７のシステム説明図の内部ブロック図である。図８において、８０１は携帯電話本体、８０２は非接触ＩＣカード・リーダ・ライター部、８０３は制御部、８０４は発振器、８０５は変復調回路、８０６はアンテナ、８０７は携帯電話機能部、８０８は携帯電話本体部、８０９は非接触ＩＣカード・リーダ・ライター部８０２と携帯電話本体部間のインターフェイス部、８１０は携帯電話アンテナ、８１１はマイク、８１２はスピーカ、８１３は操作部、８１４は表示部、８１５はデジタルＴＶ本体、８１６は非接触ＩＣカード本体部、８１７は制御部、８１８は不揮発性メモリ、８１９は変復調回路、８２０は電源生成回路、８２１はアンテナ、８２２はデジタルＴＶ機能部、８２３はデジタルＴＶ本体部、８２４は非接触ＩＣカード本体部８１６とデジタルＴＶ機能部８２２間のインターフェイス部、８２５はインターネットとのネットワークインターフェイス部、８２６はスピーカ、８２７は操作部、８２８は表示部、８２９はアンテナ、８３０はインターネットに接続される通信回線である。
【００５４】
非接触ＩＣカード本体部８１８の不揮発性メモリ８１８に格納するデータは、デジタルＴＶ放送によって、送られて来たデータや、デジタルＴＶ放送の番組内容に連動して、デジタルＴＶ本体部８２３がネットワークインターフェイス部８２５を介して、インターネットに接続し、所定のサーバからダウンロードしたデータを格納する。
【００５５】
このように、第１の実施形態や第２の実施形態と異なり、刻々と変わる表示部８２８に連動して、非接触ＩＣカード本体部８１６の不揮発性メモリ８１８に格納するデータを変えることができる。
【００５６】
このさい、１回目のかざしで携帯電話本体８０１が受信できる第１データは無料のデータ、２回目以降のかざしで携帯電話本体８０１が受信できる第２以降のデータは有料のデータとすることもできる。この場合、第１のデータは静止画であればサムネイル、動画であればダイジェスト（いわゆる予告編）、第２以降のデータはオリジナルデータ、高精細データ等といった各種のデータにすることができる。
【００５７】
なお、この第３の実施形態の詳細な動作は、非接触ＩＣカード本体部８１６の不揮発性メモリ８１８のデータを表示部８２８の表示内容に対応して、適宜、変える事ができる以外は、第１の実施形態の動作と同様にして実現できるものである。
【００５８】
また、第３の実施形態では、第１の実施形態と第２の実施形態と同様に非接触ＩＣカード本体部８１６の各部の電源は電源生成回路８２０で生成していたが、電源生成回路８２０を使用せずに、デジタルＴＶ機能部８２２側から電源供給を受けるようにしても良い。
【００５９】
（第４の実施形態）
なお、請求項及び、第１の実施形態から第３の実施形態において、非接触ＩＣカード・リーダ・ライターは携帯端末側に組み込んでいたが、非接触ＩＣカードは携帯端末側に組み込み、非接触ＩＣカード・リーダ・ライターを例えば、第３の実施形態のデジタルＴＶに組み込み、非接触ＩＣカード・リーダ・ライター内に各種データを格納するメモリを設ける構成にしても同様なシステムの実現が考えられる。この場合は、携帯端末が所定時間に何回かざされたかをカウントする手段は非接触ＩＣカード・リーダ・ライター側に設けても、非接触ＩＣカード側に設けても良い。非接触ＩＣカード側にカウント手段を設けた場合は、カウント値や必要とするデータ種別等の要求を送信する構成も考えられる。
【図面の簡単な説明】
【００６０】
【図１】第１の実施形態のシステム説明図
【図２】第１の実施形態のシステム内部ブロック図
【図３】動作シーケンス図
【図４】端末かざし回数管理テーブル図
【図５】動作フロー図
【図６】第２の実施形態のシステム説明図
【図７】第３の実施形態のシステム説明図
【図８】第３の実施形態のシステム内部ブロック図
【符号の説明】
【００６１】
１０１  携帯電話
１０２  写真集
１０３  印刷された写真
１０４  非接触ＩＣカード
２０１  携帯電話本体
２０２  非接触ＩＣカード・リーダ・ライター部
２０３  制御部
２０４  発振器
２０５  変復調回路
２０６  アンテナ
２０７  携帯電話機能部
２０８  携帯電話本体部
２０９  インターフェイス部
２１０  携帯電話アンテナ
２１１  マイク
２１２  スピーカ
２１３  操作部
２１４  表示部
２１５非接触ＩＣカード本体
２１６  制御部
２１７  メモリ
２１８  変復調回路
２１９  電源生成回路
２２０  アンテナ
【図１】
2006228129.tif 000003
【図２】
2006228129.tif 000004
【図３】
2006228129.tif 000005
【図４】
2006228129.tif 000006
【図５】
2006228129.tif 000007
【図６】
2006228129.tif 000008
【図７】
2006228129.tif 000009
【図８】
2006228129.tif 000010